(57)【要約】  本発明は、ミリメートル波回路用の変換器を提供する。変換器は、テーパースロットアンテナと、アンテナに結合されたマイクロストリップフィード線と、を含む。変換器は、調整可能な周波数応答を提供するように適合される。
2020502915.tif 000002
【特許請求の範囲】
【請求項１】
テーパースロットアンテナと、
前記アンテナに結合されたマイクロストリップフィード線と、
調整可能な周波数応答を提供するために、前記マイクロストリップフィード線に結合するための調整パッドセットと、
を含むミリメートル波回路用の変換器。
【請求項２】
前記マイクロストリップフィード線が、前記アンテナの前記スロットの方向と一致して位置する、請求項１に記載の変換器。
【請求項３】
前記テーパースロットが、曲線テーパーを含み、前記スロットが、前記フィード線に隣接する短絡端と、放射端と、を含み、前記スロットが、前記放射端の方へ前記短絡端から外に先細になる、請求項１又は２に記載の変換器。
【請求項４】
前記テーパーの前記曲線のプロファイルが、少なくとも２つの相異なる式の使用によって定義される、請求項３に記載の変換器。
【請求項５】
前記テーパーの前記曲線の前記プロファイルが、以下の３つの式
１．曲線式：ｆ（ｘ）＝ａ／（１＋ｅ−ｂ（ｘ−ｃ））
２．曲線式：ｆ（ｘ）＝ｋｅｌ（ｘ）＋ｎ
３．線形式：ｆ（ｘ）＝ｍｘ＋Ｃ
の使用によって定義され、
これらの式において、ｆ（ｘ）及びｘが、ゼロ面からの距離に対応し、前記曲線が、式２を用いて、上方へ曲がるように式１の変曲点の上の前記曲線を調整することによって定義され、式１の前記変曲点より下の前記曲線が、式３を用いて、前記スロットの前記短絡端に統合される、請求項４に記載の変換器。
【請求項６】
前記マイクロストリップフィード線が、開回路インピーダンススタブに結合された主マイクロストリップフィード線を含む、請求項１〜５のいずれか一項に記載の変換器。
【請求項７】
前記調整パッドセットが、前記主マイクロストリップフィード線に隣接して位置する第１の調整パッドセットを含み、前記変換器の前記中心周波数及び前記周波数帯域が、前記主マイクロストリップフィード線への前記第１の調整パッドセットの選択的結合によって調整可能である、請求項６に記載の変換器。
【請求項８】
前記開回路インピーダンススタブに隣接して位置する第２の調整パッドセットを更に含み、前記周波数帯域における挿入損失が、前記開回路インピーダンススタブへの前記第２の調整パッドセットの前記選択的結合によって微調整可能である、請求項７に記載の変換器。
【請求項９】
前記第１及び前記第２の調整パッドセットが、ワイヤボンディングによって、前記マイクロストリップフィード線に選択的に結合される、請求項８に記載の変換器。
【請求項１０】
前記変換器が、平面基板上に形成される、請求項１〜９のいずれか一項に記載の変換器。
【請求項１１】
前記マイクロストリップフィード線が、前記基板の上部導電パターン上に形成され、前記テーパースロットアンテナが、前記基板の底部導電パターン上に形成される、請求項１０に記載の変換器。
【請求項１２】
キャリアに搭載された請求項１〜１１のいずれか一項に記載の変換器を含む導波管チャネル上に搭載するための導波管サブシステム。
【請求項１３】
更に能動装置が、前記キャリアに搭載可能である、請求項１２に記載のサブシステム。
【請求項１４】
請求項１〜１３のいずれか一項に記載の第１の変換器と、
請求項１〜１３のいずれか一項に記載の第２の変換器と、
を含むフィルタであって、前記第１及び第２の変換器が、マイクロストリップ上に背中合わせに搭載されるフィルタ。
【発明の詳細な説明】
【技術分野】
【０００１】
本発明は、導波管回路用の変換器に関する。特に、本発明は、ミリメートル波又はサブミリメートル波導波管回路用の調整可能な変換器に関する。
【背景技術】
【０００２】
ミリメートル又はサブミリメートル波用途において、導電媒体と空気媒体との間の信号エネルギの移動は、変換器又はプローブの使用を必要とする。
【０００３】
かかる機能を実行するために一般に用いられる一タイプのプローブは、ダイポールである。ダイポールは、決定されたポイントで導波管に挿入され、且つ広帯域性を提供する。しかしながら、ダイポールの１つの欠点は、それが、導波管の側部に挿入されなければならないということである。それはまた、効果的であるために、支援する４分の１波長キャビティを必要とする。
【０００４】
ミリメートル波用途に使用される別のタイプのプローブは、テーパースロット（ビバルディ）アンテナである。このアンテナは、平面基板上に一定のテーパーを備えたスロットを含む。マイクロストリップ線は、スロット用のフィードを提供する。テーパースロットは、インライン変換器であり、従って、設計プロセスに対してダイポールほど破壊的でない。しかしながら、このアンテナは、アンテナの通過帯域が、調整可能ではないという欠点に悩まされる。
【発明の概要】
【発明が解決しようとする課題】
【０００５】
本発明の目的は、上記の問題の少なくとも１つを克服することである。
【課題を解決するための手段】
【０００６】
本発明によれば、添付の特許請求の範囲で提示されるように、テーパースロットアンテナと、アンテナに結合されたマイクロストリップフィード線と、調整可能な周波数応答を提供するために、マイクロストリップフィード線に結合するための調整パッドセットと、を含むミリメートル波回路用の変換器が提供される。
【０００７】
実施形態において、マイクロストリップフィード線は、アンテナのスロットの方向と一致して位置する。
【０００８】
実施形態において、テーパースロットは、曲線テーパーを含み、そのスロットは、フィード線に隣接する短絡端と、放射端と、を含み、そのスロットは、放射端の方へ短絡端から外に先細になる。
【０００９】
実施形態において、テーパーの曲線プロファイルは、少なくとも２つの相異なる式の使用によって定義される。
【００１０】
実施形態において、テーパーの曲線プロファイルは、以下の３つの式の使用によって定義される。
１．曲線式：ｆ（ｘ）＝ａ／（１＋ｅ−ｂ（ｘ−ｃ））
２．曲線式：ｆ（ｘ）＝ｋｅｌ（ｘ）＋ｎ
３．線形式：ｆ（ｘ）＝ｍｘ＋Ｃ
これらの式において、ｆ（ｘ）及びｘは、ゼロ面からの距離に対応し、曲線は、式２を用いて、上方へ曲がるように、式１の変曲点の上の曲線を調整することによって定義され、式１の変曲点より下の曲線は、直線式３を用いて、スロットの短絡端に統合される。
【００１１】
実施形態において、マイクロストリップフィード線は、開回路インピーダンススタブに結合された主マイクロストリップフィード線を含む。
【００１２】
実施形態において、調整パッドセットは、主マイクロストリップフィード線に隣接して位置する第１の調整パッドセットを含み、変換器の中心周波数及び周波数帯域は、主マイクロストリップフィード線への第１の調整パッドセットの選択的結合によって調整可能である。
【００１３】
実施形態において、変換器は、開回路インピーダンススタブに隣接して位置する第２の調整パッドセットを更に含み、周波数帯域における挿入損失は、開回路インピーダンススタブへの第２の調整パッドセットの選択的結合によって微調整可能である。
【００１４】
実施形態において、第１及び第２の調整パッドセットは、ワイヤボンディングによって、マイクロストリップフィード線に選択的に結合される。
【００１５】
実施形態において、変換器は、平面基板上に形成される。
【００１６】
実施形態において、マイクロストリップフィード線は、基板の上部導電パターン上に形成され、テーパースロットアンテナは、基板の底部導電パターン上に形成される。
【００１７】
実施形態において、変換器は、その中心周波数を増加又は減少させるように調整可能である。
【００１８】
本発明はまた、キャリアに搭載された変換器を含む導波管チャネル上への搭載のための導波管サブシステムを提供する。
【００１９】
実施形態において、キャリアは、スロットキャリアを含む。
【００２０】
実施形態において、能動装置が、キャリアに搭載可能である。
【００２１】
実施形態において、サブシステムは、エポキシ、半田付け、又はねじ固定の１つによって、導波管チャネル上に搭載される。
【００２２】
本発明はまた、
第１の変換器及び第２の変換器を含むフィルタであって、第１の変換器及び第２の変換器が、マイクロストリップ上に背中合わせに搭載されるフィルタを提供する。
【００２３】
本発明はまた、
テーパースロットアンテナと、
アンテナに結合されたマイクロストリップフィード線と、
を含むミリメートル波回路用の変換器であって、調整可能な周波数応答を提供するように適合された変換器を提供する。
【００２４】
本発明は、添付の図面に関連して例としてのみ与えられた、本発明の実施形態の以下の説明からより明白に理解されよう。
【図面の簡単な説明】
【００２５】
【図１】本発明の変換器の上面図を示す。
【図２】図１の変換器の底部導体パターンを示す。
【図３】図１の変換器の上部導体パターンを示す。
【図４】曲線プロファイルが、相異なる式からどのように形成されるかを示す本発明の変換器の別の上面図である。
【図５】図４の側面図を示す。
【図６】図１の変換器の写真を示す。
【図７】本発明の変換器が搭載され得るキャリアの一実施形態を示す。
【図８】図７のキャリアに取り付けられた図１の変換器を示す。
【図９】本発明の変換器が搭載され得るキャリアの別の実施形態を示す。
【図１０】本発明の２つの変換器が、典型的な回路にどのように適用され得るかを示す。
【図１１（ｉ）】図７のキャリア上に背中合わせに搭載された、且つ導波管チャネルに取り付けられた本発明の２つの変換器のシミュレートされた性能を示す。
【図１１（ｉｉ）】図７のキャリア上に背中合わせに搭載された、且つ導波管チャネルに取り付けられた本発明の２つの変換器の測定された性能を示す。
【図１２】フィルタとして動作するように構成された本発明の２つの変換器を示す。
【図１３】図１２のフィルタの周波数応答を示す。
【発明を実施するための形態】
【００２６】
本発明は、調整可能な周波数応答を提供するように適合された、ミリメートル又はサブミリメートル波用途用の変換器を含む。図１〜６に示されているように、変換器は、一般に参照数字１によって示されているが、テーパースロットアンテナ２、及びアンテナ２に結合されたフィード線３を含む。変換器１は、例えば石英などの平面基板４上に形成される。
【００２７】
図２及び３に示されているように、変換器１は、基板４上の上部５及び底部６の導電パターンから形成される。フィード線３は、導電性信号層を形成する上部導電パターン５上に形成されるマイクロストリップフィード線を含む。テーパースロットアンテナ２によって提供される変換器１の導波部は、底部導電パターン６上に形成され、底部導電パターン６は、接地面を形成する。
【００２８】
アンテナ２のテーパースロット７は、短絡端８及び放射端９を含む。スロット７は、その放射端９の方へ短絡端８から外に先細になる。マイクロストリップフィード線３は、スロット７の方向と一致して位置するフィード線３で、信号フィードをスロット７に結合する。図３に示されているように、フィード線３は、ほぼＬ形状であり、開回路インピーダンススタブ１１に結合された主マイクロストリップ線１０を含む。主マイクロストリップ線１０の端部１２は、スロット７の方向に、且つスロット７の短絡端８に近いスロット７の部分の上に縦に位置する。開回路インピーダンススタブ１１は、主マイクロストリップ線１０の端部１２と同様に、スロット７の方向に垂直に位置する。従って、変換器１上のマイクロストリップフィード線３の位置は、一列で中心に置かれた変換器１を結果的としてもたらす。
【００２９】
変換器１の中心周波数及び周波数帯域を最小の挿入損失で調整することができるように、複数の調整スタブ又はパッド１３が、変換器１上に設けられる。これら、調整パッド１３は、マイクロストリップフィード線３に隣接する上部導電パターン５及び底部導電パターン６の両方の上に形成される。
【００３０】
第１の調整パッドセットが、主マイクロストリップ線１０の端部１２と並んで単一行で位置する。この調整パッドセットは、必要な周波数調整を提供するために、主マイクロストリップ線１０に選択的に結合される。結合は、例えばワイヤボンディングによってなど、任意の適切な手段によって提供されてもよい。
【００３１】
図４及び５は、主マイクロストリップ線１０への第１の調整パッドセットの選択的結合の例を示す。上部導電パターン５上の主マイクロストリップ線１０に最も近く位置する第１の調整パッド１３ａが、主マイクロストリップ線１０と同様に、底部導電パターン６に位置する調整パッド１３ｂにも接合されることが、これらの図から分かる。同じ方法で、第１の調整パッド１３ａに隣接する、上部導電パターン５上に位置する第２の調整パッド１３ｃは、第１の調整パッド１３ａと同様に、底部導電パターン６上の調整パッド１３ｄにも接合される。このボンディングプロセスは、興味のある周波数における最も低い損失が達成されるまで、上部導電パターン５上に設けられる各調整パッド１３に関して必要に応じて反復されてもよい。主マイクロストリップ線１０への調整パッド１３のこの選択的結合が、変換器１における磁界の位置及び構造を変更することによって、短絡を操作することが認識されよう。従って、主マイクロストリップ線１０への調整パッド１３の適切な結合によって、変換器１は、中心周波数を増加させ且つまた減少させるように調整されてもよい。
【００３２】
本発明の説明される実施形態において、第２の調整パッドセット１３がまた、周波数帯域における挿入損失を微調整するために、開回路インピーダンススタブ１１に隣接して設けられる。これらの調整パッド１３は、開回路インピーダンススタブ１１の端部１４と並んで単一の行で位置する。第１の調整パッドセットに関して上記で説明した方法と似た方法で、スタブ１１への第２の調整パッドセット１３の選択的結合を通して、開回路インピーダンススタブ１１の長さを調整することによって、変換器１の短絡深度は、変更することができ、従って、挿入損失は、最小限にすることができる。周波数帯域における挿入損失のこの調整が、帯域幅に最低限の影響しか有しないことに留意されたい。
【００３３】
上部導電パターン５上の調整パッドの数が、底部導電パターン６上の調整パッドの数、サイズ又は位置と一致することが必要がないことに留意されたい。
【００３４】
本発明に従って、スロット７は、多数の式によって定義されるプロファイルを有する曲線テーパーを含む。電磁波スロット曲線のプロファイルを定義するために１つを超える式を用いることによって、変換器１の長さは、最小化されてもよい。加えて、それは、変換器１の中心周波数及び帯域幅を所定の目標値へと製造中に操作できるようにする。これは、前に説明されたように、短絡の位置及び形状が、変換器１の中心周波数及び帯域幅に極めて重要であるという事実ゆえである。
【００３５】
本発明の一実施形態において、曲線プロファイルは、次の３つの式の使用によって定義される：
１．曲線式：ｆ（ｘ）＝ａ／（１＋ｅ−ｂ（ｘ−ｃ））
２．曲線式：ｆ（ｘ）＝ｋｅｌ（ｘ）＋ｎ
３．線形式：ｆ（ｘ）＝ｍｘ＋Ｃ
【００３６】
式における変数ｆ（ｘ）及びｘは、ゼロ面からの距離に対応する。式における定数の値は、変換器の要求される性能及びサイズに従って調整可能である。例えば、一実施形態式において、線形曲線用の式３は、かなりの勾配を提供するように設計することが可能であり、一方でテーパーの放射端用の式１は、拡張フレアを提供するように設計することが可能である。
【００３７】
図４に示されているように、曲線は、式２を用いて、上方へ曲がるように式１の変曲点の上の曲線を調整することによって定義される。加えて、式１の変曲点より下の曲線は、直線式３を用いて、スロット７の短絡端８までスロットパラメータに統合された。従って、式３は、マイクロストリップから変換器１への接続を提供する。代替実施形態において、曲線プロファイルは、式１及び式２だけを使用することによって定義することが可能である。しかしながら、式３の使用は、変換器１の性能を更に改善することが分かった。
【００３８】
変換器１は、典型的には、導波管への挿入の前に、キャリアに搭載される。それは、例えばダイボンディングによってなど、任意の適切な手段を介してキャリアに搭載することができる。本発明の一実施形態において、変換器は、図７及び８に示されているように、特定の導波管チャネルに収まるように機械加工された金属スロットキャリア１５のセクションにダイボンドされる。かかるキャリア１５は、例えばフィルタなどの受動構造を挿入するのに適している。例えば、スロットキャリア１５は、チャネルの直線部の任意の位置で導波管チャネルに挿入されてもよく、且つ例えばエポキシ又は半田付け（図示せず）を介して適所に固定することができる。
【００３９】
能動及び受動装置の両方を同じキャリア上に搭載することが望ましい場合に、図９に示されているタイプのキャリア１６が、代替として変換器１と共に使用されることが可能である。この図から分かるように、このキャリア１６は、２つの変換器１に隣接する能動装置１７の搭載を可能にするように適合される。キャリア１６は、導波管チャネル（図示せず）のケーシング上の適所にねじで留められてもよい。図１０は、本発明の２つの変換器が、典型的な回路にどのように適用され得るかを示す。この図において、２つの変換器が、デバイダを介してＭＭＩＣへと、別個のマイクロストリップを介して接続されることが分かる。
【００４０】
図１１は、キャリアが導波管に取り付けられる場合に、一緒にワイヤボンディングされ且つスロットキャリア上に搭載された本発明の２つの変換器の（ｉ）シミュレートされた性能及び（ｉｉ）実性能を示す。構造の帯域内及び帯域外性能が、この図からはっきりと分かる。
【００４１】
図１２は、フィルタを実現するために、本発明の２つの変換器が、背中合わせに搭載される例を示す。このフィルタは、高品質（Ｑ）値を提供することができ、且つマイクロストリップにおいて実現することができる。代替として、フィルタは、その周波数帯域を制限するために、導波管に入れることができる。図１３は、マイクロストリップに実現されたかかるフィルタの周波数応答を示す。
【００４２】
本発明は、ミリ波回路用の従来の変換器と比較した場合に、多数の利点を提供する。第１に、本発明の変換器は、その周波数応答が調整可能であるという事実ゆえに、非常に柔軟である。興味のある周波数に同調することによって、変換器はまた、フィルタリング効果を提供する。加えて、変換器は、優れた帯域外減衰を提供する。本発明の変換器の性能はまた、その周波数調整能力が、より低い損失をもたらすので、従来の変換器の性能より優れている。更に、テーパースロットアンテナプロファイルが、多数の式の使用によって決定される結果として、本発明は、変換器のサイズ、損失及び帯域幅を操作できるようにする。
【００４３】
変換器が、一列又は対称なので、それはまた、導波管の側部への挿入を要求する従来の変換器と比較した場合に、ミリ波／サブミリ波システムの製造を容易にする。それはまた、調整用に一層容易に利用可能であるのと同様に、変換器を導波管システムの中に一層容易に組み立てることができるようにする。
【００４４】
本発明の変換器はまた、それが用いられることになる用途に依存して、独立して製造し、且つ所望の周波数に容易に同調させることができる。変換器は、サブシステムモジュールを形成するためにキャリアに搭載することができる。導波管上へのこのモジュールの移動は、導波管上にキャリアをねじで留めることによって、容易に実行することができる。更に、変換器と共に使用できるキャリアは、ミリ波システムのより単純な大量生産を可能にする。従って、本発明の変換器の使用を通じて、キャリアシステムを用いるミリ波／サブミリ波導波管回路の実装は簡略化される。
【００４５】
本発明の変換器は、導体信号エネルギを導波管に（逆もまた同様）に伝達するための任意のミリ波／サブミリ波回路と共に使用するのに適している。従って、変換器は、例えば、周波数変調連続波（ＦＭＣＷ）レーダシステム用、又は無線通信システムモジュール用のミリ波スイッチモジュールとしてなど、広範囲の用途に使用法を有する。
【図１】
2020502915.tif 000003
【図２】
2020502915.tif 000004
【図３】
2020502915.tif 000005
【図４】
2020502915.tif 000006
【図５】
2020502915.tif 000007
【図６】
2020502915.tif 000008
【図７】
2020502915.tif 000009
【図８】
2020502915.tif 000010
【図９】
2020502915.tif 000011
【図１０】
2020502915.tif 000012
【図１１（ｉ）】
2020502915.tif 000013
【図１１（ｉｉ）】
2020502915.tif 000014
【図１２】
2020502915.tif 000015
【図１３】
2020502915.tif 000016
【国際調査報告】
2020502915.tif 000017
2020502915.tif 000018
2020502915.tif 000019